(57)【要約】      （修正有）【課題】給排水機能付き循環ポンプフィルターで水槽内の水を給排水できる装置であり、同時にフィルター内の清掃ができる循環ポンプフィルターを提供する。【解決手段】水中ポンプＢに、給水パイプＥ、排水パイプＦを設け、水中ポンプＢに、給排水機能付き循環ポンプフィルタータンク本体Ｃを設け、給排水機能付き循環ポンプフィルタータンク本体Ｃのタンク内底部に、全開、および、プッシュ時に開く切り替え機能付き蛇口Ｄを設け、蛇口Ｄを設置する事により循環ポンプで循環しているフィルター内の水を水槽Ａの外に容易に排水できる。給水方法は水槽Ａ内に給排水機能付き循環ポンプフィルタータンク本体Ｃを設置して、蛇口Ｄを開いて水槽外の水を水槽Ａ内に容易に給水できる。【選択図】図１
2017038563.tif 000002
【特許請求の範囲】
【請求項１】
水中ポンプＢに、給水パイプＥ、排水パイプＦを設け、水中ポンプＢに、給排水機能付き循環ポンプフィルタータンク本体Ｃを設け、給排水機能付き循環ポンプフィルタータンク本体Ｃに、全開、および、プッシュ時に開く切り替え機能付き蛇口Ｄを設けた給排水機能付き循環ポンプフィルターである。
【請求項２】
水中ポンプＢに、給水パイプＥ、排水パイプＦを設け、水中ポンプＢに、給排水機能付き循環ポンプフィルタータンク本体Ｃを設け、給排水機能付き循環ポンプフィルタータンク本体Ｃに、全開、および、プッシュ時に開く切り替え機能付き蛇口Ｄを設けた、給排水機能付き循環ポンプフィルタータンクの底部に水槽の水と溜まるごみを排出する蛇口を備えた請求項１に記載の給排水機能付き循環ポンプフィルターである。
【請求項３】
請求項１または２に記載の給排水機能付き循環ポンプフィルターは、壁掛け式、外部設置式、または、上部設置式である。
【発明の詳細な説明】
【技術分野】
【０００１】
本発明は給排水機能付き循環ポンプフィルターで水槽内の水を給排水出来る装置であり同時にフィルター内の清掃が出来る循環ポンプフィルターに関するものである。
【背景技術】
【０００２】
従来循環ポンプフィルターは水槽内の水を循環及び物理ろ過材を使用し生物ろ過等で水を濾す機能しかない。水槽内の水を給排水するには給水ポンプ等を使用しなければならない。循環ポンプフィルターのフィルター内の清掃は水槽に設置した循環ポンプフィルターを水槽から外し清掃をしなければならない。
【先行技術文献】
【特許文献】
【０００３】
【特許文献１】特開２００６−３３３７７９号公報
【非特許文献】
【０００４】
【非特許文献１】さかなパラダイス２００５年版  ５９頁、６５頁（平成１７年４月  株式会社産經新聞メディックス発行）
【発明の概要】
【発明が解決しようとする課題】
【０００５】
水槽内の水を給排水するには給水ポンプ等を使用しなければならない為に給水ポンプを用意しなければならない。
【０００６】
給排水時には給水ポンプ内の残った水が水槽の外にこぼれ水槽の周りを濡らす事もあり、また定期的に水槽内の水の交換や水を約１／３〜１／２位を週に１度、新しい水に交換するメンテナンス時にも給水ポンプ等を使用するが給水ポンプ内の残った水が水槽内に逆流して水槽内の砂を巻き上げ、飾り付けを水流で崩してしまう事がしばしばあり知恵や知識が必要である
【０００７】
循環ポンプフィルターのフィルター内の清掃は水槽に設置した循環ポンプフィルターを水槽から外し清掃をしなければならない為にフィルターの清掃が定期的に出来ずにフィルターが目詰まりを起こし水槽内の水を悪化させてしまい水生生物等を弱らせてしまう。
【課題を解決するための手段】
【０００８】
本発明は水槽内の水を給排水する為及びフィルター内の清掃の難しく面倒な難題を解決して知識、知恵が無くても水槽内の水を給排水する為及びフィルター内の清掃を楽に、簡単に行える事を目的とした給排水機能付き循環ポンプフィルターを提供するものであり、
第１の発明は、水中ポンプＢに、給水パイプＥ、排水パイプＦ、を設け、水中ポンプＢに、給排水機能付き循環ポンプフィルタータンク本体Ｃを設け、給排水機能付き循環ポンプフィルタータンク本体Ｃに、全開、および、プッシュ時に開く切り替え機能付き蛇口Ｄを設けた給排水機能付き循環ポンプフィルターである。
また、第２の発明は、第１の発明において、水中ポンプＢに、給水パイプＥ、排水パイプＦを設け、水中ポンプＢに、給排水機能付き循環ポンプフィルタータンク本体Ｃ、を設け、給排水機能付き循環ポンプフィルタータンク本体Ｃに、全開、および、プッシュ時に開く切り替え機能付き蛇口Ｄ、を設けた給排水機能付き循環ポンプフィルターであり、タンクの底部に水槽の汚れた水と溜まるごみを排出する蛇口を備えた給排水機能付き循環ポンプフィルターである。
また、第３の発明は、第１の発明において、給排水機能付き循環ポンプフィルターは、壁掛け式、外部設置式、または、上部設置式である。
【発明の効果】
【０００９】
本発明の給排水装置は、水槽内の水の排水が容易に出来る循環ポンプフィルタータンクの底部に蛇口を設置する事で、水槽内の水の排水及びフィルタータンクの清掃が同時に出来る。
【００１０】
従来の循環ポンプフィルターは水槽内の水を循環及び物理ろ過材を使用し生物ろ過等で水を濾すが物理ろ過材を定期的に清掃しないとろ過材が目詰まりを起こして生物ろ過等に酸素が届かなくなりろ過効果が弱まり水槽内の水を悪化させてしまう。
【００１１】
本発明の給排水装置は搭載されている循環ポンプが水槽内の水を吸い上げる機能を利用する事でタンク内に水が溜まり、水を濾すその部分の底部に蛇口を設置する事で蛇口を開けるだけで水槽内の水の排水が容易に出来ると同時に、タンク内に溜まるごみ等も排水と一緒に行える為タンク内の清掃も容易になりフィルターの目詰まりを防ぐ事が出来る。
【００１２】
鑑賞用水槽の水の管理は、水槽内の狭いスペースで水生生物等を飼育していると、循環ポンプフィルター等を使用していても、いつしか水に限界が来るので、定期的に水槽内の水の交換や水を約１／３〜１／２位を週に１度、新しい水に交換するメンテナンス時にも給水ポンプ等を使用するが給水ポンプ内の残った水が水槽内に逆流して水槽内の砂を巻き上げ、飾り付けを水流で崩してしまう事がしばしばあり知恵や知識が必要である。本発明の給排水装置を使用することにより、水の交換が容易に出来ることで水槽内の水を綺麗に保たれ水生生物等を元気に飼育出来る。
【００１３】
水槽内に給水する作業は本発明の給排水装置を使用時とは逆に水槽に設置してフィルター内の蛇口を開いておき、さらに流れを制御するための給水ノズルを付ける事で容易に給水できるので水流で水槽内の砂を巻き上げ、飾り付けを崩さずに済む。
【００１４】
給排水時には防水スイッチで、水中ポンプの電源のオン、オフをする事で、水のコントロールが容易に出来るので難しく面倒な難題を解決して知識、知恵が無くても水槽内の水を給排水する事が出来る。
【図面の簡単な説明】
【００１５】
前説明は壁掛け式給排水機能付き循環ポンプフィルターの説明である。
循環ポンプフィルターの種類は様々あり種類別に給排水機能を設置出来る説明図である。
【図１】壁掛け式給排水機能付き循環ポンプフィルター本体を水槽に設置図の説明である。
【図２】壁掛け式給排水機能付き循環ポンプフィルターの内部構造及び水の流れの説明である。その１
【図３】壁掛け式給排水機能付き循環ポンプフィルターの内部構造及び水の流れの説明である。その２
【図４】壁掛け式給排水機能付き循環ポンプフィルターの内部構造及び排水時の流れの説明である。
【図５】壁掛け式給排水機能付き循環ポンプフィルターの内部構造及び給水時の流れの説明である。
【図６】上部設置式給排水機能付き循環ポンプフィルターの水の流れの説明である。
【図７】外部設置式給排水機能付き循環ポンプフィルターの水の流れの説明である。
【図８】給排水機能付き循環ポンプフィルター本体の写真である。
【図９】給排水機能付き循環ポンプフィルター本体を水槽に設置し、循環ポンプフィルターは稼働,水槽内の水は循環している状態時の写真である。
【図１０】給排水機能付き循環ポンプフィルター本体Ｃを水槽Ａに設置し、循環ポンプフィルターは稼働、水槽内の水は循環している状態時で全開及びプッシュ時に開く切り替え機能付き蛇口Ｄを全開排水をしている写真である。
【実施例】
【００１６】
図１は給排水機能付き循環ポンプフィルター本体Ｃを水槽Ａに設置した説明である。Ａは水槽、Ｂは水中ポンプ、Ｃはタンク本体、Ｄは全開及びプッシュ時に開く切り替え機能付き蛇口、Ｅは給水パイプ、Ｆは排水パイプである。
【００１７】
図２は給排水機能付き循環ポンプフィルター本体Ｃの内部構造及び水の流れの説明図である。１は水槽内の水が給水パイプへ給水される水の流れ、３は水中ポンプを通り給排水機能付き循環ポンプフィルタータンク内部に流れた水の流れ、４は給排水機能付き循環ポンプフィルタータンク内部から排水パイプまで流れた水の流れ、５は給排水機能付き循環ポンプフィルタータンク内部の水の全開及びプッシュ時に開く切り替え機能付き蛇口への排水される水の流れである。水は全開及びプッシュ時に開く切り替え機能付き蛇口Ｄから水槽外へ排水される。
【００１８】
図３は、給排水機能付き循環ポンプフィルタータンク本体Ｃにおける、内部の通常運転の水の流れの詳細説明である。１は水槽内の水が給水パイプへ給水される水の流れ、２は排水パイプから水槽内への排水される水の流れ、３は水中ポンプを通り給排水機能付き循環ポンプフィルタータンク内部に流れた水の流れ、６は給水パイプから水中ポンプまでのパイプ内に流れた水の流れ、７はフィルタータンク内に水が溜まる部分である。水槽Ａ内より給水パイプＥから給水された水は、水槽内の水が給水パイプへ給水される水の流れ１から、給水パイプから水中ポンプまでのパイプ内に流れた水の流れ６，水中ポンプＢに給水された水が給排水機能付き循環ポンプフィルタータンク内部に流れた水の流れ、３が、フィルタータンク内に水が溜まる部分７に排水され、そこから流れ出た水は、フィルタータンク内に水が溜まる部分７に、一旦溜まり、あふれ出た水は、フィルタータンク内に水が溜まる部分７内で、濾されて綺麗になった水は水槽Ａ内に排水パイプＦにより循環される。
【００１９】
図４は本発明の給排水機能付き循環ポンプフィルター本体Ｃ（壁掛け式）における水槽内の水の流れと、全開及びプッシュ時に開く切り替え機能付き蛇口Ｄより、水槽外に水を排水する水の流れを示したものである。１は水槽内の水が給水パイプへ給水される水の流れ、３は水中ポンプを通り給排水機能付き循環ポンプフィルタータンク内部に流れた水の流れ、５は給排水機能付き循環ポンプフィルタータンク内部の水の全開及びプッシュ時に開く切り替え機能付き蛇口への排水される水の流れ、６は給水パイプから水中ポンプまでのパイプ内に流れた水の流れ、７はフィルタータンク内に水が溜まる部分である。水槽Ａ内より給水パイプＥから給水された水は、水槽内の水が給水パイプへ給水される水の流れ１から、給水パイプから水中ポンプまでのパイプ内に流れた水の流れ６が、水中ポンプＢに給水され排水した水が給排水機能付き循環ポンプフィルタータンク内部に流れた水の流れ３、フィルタータンク内に水が溜まる部分７に、水が一旦溜まるが、水中ポンプＢの能力と全開及びプッシュ時に開く切り替え機能付き蛇口Ｄを開き排水する能力が同じ位なので排水パイプＦからは排水されず、給排水機能付き循環ポンプフィルタータンク内部の水の全開及びプッシュ時に開く切り替え機能付き蛇口への排水される水の流れ５から、水は全開及びプッシュ時に開く切り替え機能付き蛇口Ｄから水槽外へ排水される。
【００２０】
図５は水槽Ａ内に給水する作業は本発明の給排水機能付き循環ポンプフィルタータンク本体Ｃを、通常使用時とは逆に水槽に設置して、水槽外の水を水槽内に給水ポンプを使用する事無く給水ができる。Ｇはバケツ、Ｈは給水ノズル、８は蛇口から排水され給水ノズルに水が当たり拡散され水槽の側面に流れ込む水の流れ、９はバケツ内の水が給水パイプへ給水される水の流れである。水槽Ａ内に給水する作業は給排水機能付き循環ポンプフィルタータンク本体Ｃを、通常使用時とは逆に水槽Ａに設置して、給排水機能付き循環ポンプフィルタータンク本体Ｃ内の、全開及びプッシュ時に開く切り替え機能付き蛇口Ｄを開いておき、水中ポンプＢを作動させるとバケツ９、内の水が給水パイプＥへ給水流れ込み、水中ポンプＢから、排出した水がフィルタータンクＣ内に、水が一旦溜まるが、水中ポンプＢの給水能力と、全開及びプッシュ時に開く切り替え機能付き蛇口Ｄを開く時の排水される能力が同じ位なので排水パイプＦからは水が排水されず水槽内の全開及びプッシュ時に開く切り替え機能付き蛇口Ｄより、水槽Ａ内に給水できる。また水槽内の全開及びプッシュ時に開く切り替え機能付き蛇口Ｄから排水された水は給水ノズルに当たり、拡散され水槽の側面に流れ込む水の流れ８るので水流で水槽Ａ内の砂を巻き上げ、飾り付けを崩さず事も無く水槽内に水を容易に入れる事が出来る。このように本発明は給水ポンプ等を使用しなくても水槽Ａ内に水を入れる事が出来る。
【００２１】
図６は、本発明の給排水機能付き循環ポンプフィルター本体（上部設置式）における水槽内の水の流れと、水槽外に水を排水する水の流れを示したものである。１は水槽内の水が給水パイプへ給水される水の流れ（給水パイプにすわれる流れ）、２は水中ポンプを通りタンク内の水が水槽内に排水される水の流れ、５は水槽外へ排水時する全開及びプッシュ時に開く切り替え機能付き蛇口からの流れである。
【００２２】
図７は、本発明の給排水機能付き循環ポンプフィルター本体（外部設置式）における水槽内の水の流れと、水槽外に水を排水する水の流れを示したものである。１は水槽内の水が給水パイプへ給水される水の流れ（給水パイプにすわれる流れ）、２は水中ポンプを通りタンク内の水が水槽内に排水される水の流れ、５は水槽外へ排水時する全開及びプッシュ時に開く切り替え機能付き蛇口Ｄからの流れである。
【００２３】
図８は、給排水機能付き循環ポンプフィルター本体の写真である。
【００２４】
図９は、給排水機能付き循環ポンプフィルター本体を水槽に設置し、循環ポンプフィルターを稼働させ、水槽内の水を循環している状態時の写真である。（この状態で全開及びプッシュ時に開く切り替え機能付き蛇口は、全開時では全開排水出来る。またプッシュ時ではプッシュした時だけ排水できる。）
【００２５】
図１０は、給排水機能付き循環ポンプフィルター本体Ｃを、水槽Ａに設置し、給排水機能付き循環ポンプフィルタータンク本体Ｃを、稼働させ、水槽内の水は循環している状態時で全開及びプッシュ時に開く切り替え機能付き蛇口Ｄを、全開排水をしている写真である。水槽内の狭いスペースで水生生物等を飼育していると、循環ポンプフィルター等を使用していてもいつしか水に限界が来るので、定期的に水槽内の水の交換や水の約１／３〜１／２位を週に１度、給水ポンプで新しい水に交換する必要がある。本発明の給排水装置を使用することにより、給水ポンプ等を使用しなくても、水の交換が容易に出来ることで水槽内の水を綺麗に保たれ水生生物等を元気に飼育出来る。
【００２６】
なお、本発明においては、給排水機能付き循環ポンプフィルタータンク本体Ｃを、水槽Ａに、逆に設置する事で従来の給水ポンプ等を使用しない給排水を行うことができる。また、給排水機能付き循環ポンプフィルターは壁掛け式、外部式及び上部設置式様々な種類があるが循環ポンプフィルターのフィルター内に蛇口を設置する事が出来ると同時に利便性が持たせる事が出来る。
また、給排水時には防水スイッチで、水中ポンプの電源のオン、オフをする事で、水のコントロールが容易に出来るので難しく面倒な難題を解決して知識、知恵が無くても水槽内の水を給排水する事が出来る。また、給排水機能付き循環ポンプフィルターのポンプの給電コードに防水スイッチを設置する事で給排水のコントロールが出来る。
【符号の説明】
【００２７】
Ａ：水槽
Ｂ：水中ポンプ
Ｃ：給排水機能付き循環ポンプフィルタータンク本体
Ｄ：全開及びプッシュ時に開く切り替え機能付き蛇口
Ｅ：給水パイプ
Ｆ：排水パイプ
Ｇ：バケツ
Ｈ：給水ノズル
１：水槽内の水が給水パイプへ給水される水の流れ
２：排水パイプから水槽内への排水される水の流れ
３：水中ポンプを通り給排水機能付き循環ポンプフィルタータンク内部に流れた水の流れ
４：給排水機能付き循環ポンプフィルタータンク内部から排水パイプまで流れた水の流れ
５：給排水機能付き循環ポンプフィルタータンク内部の水の全開及びプッシュ時に開く切り替え機能付き蛇口への排水される水の流れ
６：給水パイプから水中ポンプまでのパイプ内に流れた水の流れ  
７：フィルタータンク内に水が溜まる部分
８：蛇口から排水され給水ノズルに水が当たり拡散され水槽の側面に流れ込む水の流れ
９：バケツ内の水が給水パイプへ給水される水の流れ
【図１】
2017038563.tif 000003
【図６】
2017038563.tif 000004
【図７】
2017038563.tif 000005
【図２】
2017038563.tif 000006
【図３】
2017038563.tif 000007
【図４】
2017038563.tif 000008
【図５】
2017038563.tif 000009
【図８】
2017038563.tif 000010
【図９】
2017038563.tif 000011
【図１０】
2017038563.tif 000012